(57)【要約】      （修正有）【課題】持ち運び時の容易性を維持しつつ、例えば大きな表示領域や、例えば大きなボタンを搭載しうるスペースを確保し、使い易い携帯通信装置を実現する。【解決手段】第１の筐体と、第１の筐体に折り畳み自在に連結される第２の筐体と、第１の筐体に折り畳み自在に連結される第３の筐体とを有する携帯通信装置であって、第３の筐体は、第１の筐体の上に折り畳まれた第２の筐体の上に折り畳まれうるように、第１の筐体に連結される、携帯通信装置が挙げられる。この携帯通信装置において、第１及び第２の筐体には、該第１及び第２の筐体が広げられた状態で露出するディスプレイをそれぞれ設けてもよい。これらのディスプレイは、第１及び第２の筐体が広げられた状態において、一続きの表示領域を形成しうるように配することが好ましい。第３の筐体は、該第３の筐体が広げられた状態で露出するキーパットを設けてもよい。【選択図】図５
2010183616.tif 000002
【特許請求の範囲】
【請求項１】
ユーザと通信システムとの間で情報を伝送するための携帯通信装置であって、開いた状態と閉じた状態との間で互いに折り畳み可能に連結される３つの筐体部を有する、携帯通信装置。
【請求項２】
前記開いた状態において露出する表示部を有する、請求項１に記載の携帯通信装置。
【請求項３】
前記表示部は、２つの筐体部に亘って設けられる、請求項２に記載の携帯通信装置。
【請求項４】
前記開いた状態において露出するキーパット部を有する、請求項１から３のいずれかに記載の携帯通信装置。
【請求項５】
前記３つの筐体部はそれぞれ内側の面と外側の面を有し、前記開いた状態において、前記３つの筐体部は互いに遠ざかるような配置を取り、それによって、それぞれの内側の面が露出する、請求項１から４のいずれかに記載の携帯通信装置。
【請求項６】
前記閉じた状態において、前記３つの筐体部は、互いに重なるように折り畳まれる、請求項１から５のいずれかに記載の携帯通信装置。
【請求項７】
前記３つの筐体部がそれぞれ同じようなサイズを有する、請求項１から６のいずれかに記載の携帯通信装置。
【請求項８】
前記開いた状態において、前記３つの筐体部は板状の構造を形成する、請求項１から７のいずれかに記載の携帯通信装置。
【請求項９】
前記３つの筐体部は、それぞれ、２つの短側部と２つの長側部を有する矩形状であり、それぞれ前記長側部に沿って、折り畳み可能に連結される、請求項１から８のいずれかに記載の携帯通信装置。
【請求項１０】
前記表示部は、特定の状態で触れられることに応じてグラフィック情報を通信しうる手段を有する、請求項１から９のいずれかに記載の携帯通信装置。
【請求項１１】
前記閉じた状態で露出される別の表示部を有する、請求項１から１０のいずれかに記載の携帯通信装置。
【請求項１２】
第１の筐体と、
前記第１の筐体に折り畳み自在に連結される第２の筐体と、
前記第１の筐体に折り畳み自在に連結される第３の筐体と、
を有し、ただし前記第３の筐体は、前記第１の筐体の上に折り畳まれた前記第２の筐体の上に折り畳まれうるように、前記第１の筐体に連結される、携帯通信装置。
【請求項１３】
前記第１及び第２の筐体は、該第１及び第２の筐体が広げられた状態で露出するディスプレイをそれぞれ備え、これらのディスプレイは、前記第１及び第２の筐体が広げられた状態において、一続きの表示領域を形成しうるように配される、請求項１２に記載の携帯通信装置。
【請求項１４】
前記第３の筐体は、該第３の筐体が広げられた状態で露出するキーパットを備える、請求項１３に記載の携帯通信装置。
【発明の詳細な説明】
【技術分野】
【０００１】
本発明は、個人用の複合機能移動通信装置に関し、特に音声メッセージ及び文字数字メッセージの双方を送信する複合機能移動通信装置に関する。
【発明の背景】
【０００２】
近年、セルラー移動無線通信ネットワークにおける端末装置として動作する移動電話機が、広範囲かつ急速に普及している。将来はセルラー移動無線通信ネットワークシステムの間の、その通達範囲内の他の端末装置を、必要なときに全世界規模で呼び出すことが出来るとともに、どこへでも持ち運びが出来る複合機能移動通信装置を殆ど全ての人が持つようになると考えられる。
【０００３】
近時の大半は移動電話機である。すなわち、この移動電話機は、第１に音声通話を目的としている。デジタルセルラー移動無線通信ネットワークでは、移動電話機の間で短い文字数字メッセージを伝送できるようなっている。また、移動電話機、データインタフェース及び携帯用コンピュータを接続して組み合わせた装置によって、コンピュータで処理したデジタルデータをセルラ移動無線通信ネットワークを通じて送信することも知られている。
【０００４】
下の非特許文献１：米国イリノイ州シカゴ市での１９８８年９月３０日の第４２回国内通信フォーラムの議事録に発表されたピーターＥ．ジャクソン氏及びデビッドＡ．ディーズ氏による「携帯通信装置」に示される個人用メッセージ通信装置が周知である。
【０００５】
図６は、この個人用メッセージ通信装置の外観構成を示す正面図である。図６において、最新の移動電話機に類似する装置１は、数字キーパッド２及び文字キーパッド３の両方が設けられている。
【０００６】
前記の議事録が掲載された刊行物のテキストから、この刊行物が、特に広域通信システムの移動端末装置に言及していることが明かであるが、この移動端末装置は、通信可能な範囲、すなわち、サービスエリア中を自由に移動することが出来る。
【０００７】
そして、この移動している電話通話機を、ある送信先の端末装置に対して正しく通信経路を設定できるように、システムが端末装置の位置を常時監視している。前記の刊行物において、装置１はアウトラインが提示されている程度で、その構造や機能についての詳しい解説はない。提示された装置は、キーパッドが小型で複雑であり、これは明らかに全体の形状の小型化を目的としている。
【０００８】
下の特許文献１には、数字キーパッドを装置の一方側に回転させ、数字キーパッドの下に配置されている大きな文字数字のキーパッドを露出させる移動電話機が示されている。このような構造では、装置のディスプレイを小さくしなければならず、適度に読める程度の文字サイズを表示する必要があるため、非常に短い文字数字メッセージのみが表示される。
【０００９】
この文献では、電子ノートブック機能を有する移動電話機の発明を目的とする旨が記載されており、この電子ノートブック機能が使用される際には、装置内の無線送受信部への通電を停止することが提案されている。このような提案に相当するテレビジョン（ＴＶ）リモートコントロール装置が周知である。このＴＶリモートコントロール装置は、使用者が外側カバー又はその一部分を開くことによって、そのユーザインタフェース（例えば、キーパッド）の操作部分が拡大される。例えば、多量のキーが使用できるようになる。また、外側カバーが閉じている場合は、小型のユーザインタフェースが使用される。例えば、少量のキーのみが露出している。
【００１０】
このような上記従来例にあって、移動電話機（移動局）の継続的な開発過程で、その形状を小型化することによって、この移動電話機が使用し難くなることが判明している。ユーザインタフェース、すなわち、使用者と移動電話機とが相対する設計の部品構成では、移動電話機が小型化されても、たとえ使用者の手が大きく、また、不器用な使用者でも、時計屋のようなトレーニングを行わずに構成部品におけるボタンを押下する、その必要な操作が容易に出来るように設計されるべきである。
【００１１】
移動電話機（移動局）の形状が小型であることの欠点は、特に図６に示した個人用メッセージ通信装置で明確に判明している。この従来技術における個人用メッセージ通信装置では、そのスケールを明示するために図示した鉛筆のサイズから判断すると、その幅が数ｍｍで相互の間隔が約１ｍｍのボタンが配置されている。
【先行技術文献】
【特許文献】
【００１２】
【特許文献１】米国特許公報第５，３３７，３４６号
【非特許文献】
【００１３】
【非特許文献１】Portable Communication by Peter E. Jackson and David A. Deas, Proceedings of the National Communications Forum, 42 (1988), Sept. 30, No. 2, Chicago, Illinois, USA）
【発明の概要】
【発明が解決しようとする課題】
【００１４】
本発明は、実施形態に応じて、このような課題の１つまたはそれ以上を解決することを目的とする。
【課題を解決するための手段】
【００１５】
本発明の好適な実施形態の一例として、ユーザと通信システムとの間で情報を伝送するための携帯通信装置であって、開いた状態と閉じた状態との間で互いに折り畳み可能に連結される３つの筐体部を有する、携帯通信装置が挙げられる。
【００１６】
この携帯通信装置には、前記開いた状態において露出する表示部を設けてもよい。また、前記表示部を、２つの筐体部に亘って設けてもよい。また、前記開いた状態において露出するキーパット部を設けてもよい。
【００１７】
本発明の好適な実施形態の別の例として、第１の筐体と、前記第１の筐体に折り畳み自在に連結される第２の筐体と、前記第１の筐体に折り畳み自在に連結される第３の筐体とを有する携帯通信装置であって、前記第３の筐体は、前記第１の筐体の上に折り畳まれた前記第２の筐体の上に折り畳まれうるように、前記第１の筐体に連結される、携帯通信装置が挙げられる。
【００１８】
この携帯通信装置において、前記第１及び第２の筐体には、該第１及び第２の筐体が広げられた状態で露出するディスプレイをそれぞれ設けてもよい。これらのディスプレイは、前記第１及び第２の筐体が広げられた状態において、一続きの表示領域を形成しうるように配することが好ましい。前記第３の筐体は、該第３の筐体が広げられた状態で露出するキーパットを設けてもよい。
【００１９】
これらの携帯通信装置によれば、折り畳み時のサイズを小型に保って持ち運び時の容易性を維持しつつ、例えば大きな表示領域や、例えば大きなボタンを搭載しうるスペースを確保することができ、使い易い携帯通信装置を実現することができる。
【００２０】
以下、更なる実施例を、添付図面を参照しつつ説明する。
【図面の簡単な説明】
【００２１】
【図１】本発明の複合機能移動通信装置の実施形態の構成を示す上面図。
【図２】図１に示す移動局を折り畳んだ状態から開いた状態を示す正面図。
【図３】図２に示す液晶ディスプレイを複数の機能領域に分割した状態の正面図。
【図４】図２に示す第２半部にマイクロホン及びスピーカを設けた例を示す斜視図。
【図５】移動局を３つの部分に折り畳みが出来るように区分けした外観構成を示す斜視図。（ａ）は移動局を折り畳んだ状態を示す斜視図。（ｂ）移動局４折り畳んだ状態から開いた状態を示す斜視図。
【図６】従来例にあって個人用メッセージ通信装置の外観構成を示す正面図。
【発明を実施するための形態】
【００２２】
本発明の実施形態の一例である複合機能移動通信装置は、使用者がデータ通信システムとの間で情報を伝送するための複合機能移動通信装置において、使用者の操作で開く外側カバーを備えている。かつ、使用者が複合機能移動通信装置を通じて通話を行うため第１入力手段及び第１インジケータ手段を有する第１ユーザインタフェースと、第２入力手段及び第２インジケータ手段を有する第２ユーザインタフェースとが独立して設けられている。さらに、第１ユーザインタフェースは外側カバーを開かずに使用できるように、外側カバーの外側面に配置されるとともに、第２ユーザインタフェースは外側カバーを開いた際に使用するように、外側カバーを開いた内側面に配置されている。
【００２３】
また、本発明の実施形態の別の例である複合機能移動通信装置は、使用者がデータ通信システムとの間で情報を伝送するための複合機能移動通信装置において、使用者が複合機能移動通信装置を通じて通話を行うため第１ユーザインタフェース及び第２ユーザインタフェースとが独立して設けられ、第１ユーザインタフェースは、双方向音声伝送用の電話ユーザインタフェースとして使用し、送話音声信号を送出するマイクロホン及び受話音声を出力するスピーカとからなる音響伝達手段と、この複合機能移動通信装置の動作制御を行うとともにデータを入力するための第１入力手段とを備え、かつ、第２ユーザインタフェースにデータ処理を行う第２入力手段及びインジケータ手段を備えている。
【００２４】
このような構成の発明の複合機能移動通信装置は、二つの独立した第１及び第２ユーザインタフェースを有しており、この第１及び第２ユーザインタフェースは使用に関して相互に独立している、すなわち、相互に無関係に使用することが出来る。第１のユーザインタフェースは複合機能移動通信装置の外側面に配置されるものであり、マイクロホン、スピーカ、キーパッド及び小さな文字数字液晶ディスプレイを有する今日の移動電話機のユーザインタフェースと同様のものである。
【００２５】
この第１ユーザインタフェースは、今日の移動電話機における周知の電話ユーザインタフェースと同様に使用される。この第１ユーザインタフェースは複合機能移動通信装置の外側面の全面を利用して配置できるため、十分に大きく配置できることから、その使用を容易に出来る。この場合、第１ユーザインタフェースのキーボードと液晶ディスプレイ手段とが、容易に目視できるように外側面の一方側に配置される。
【００２６】
第２ユーザインタフェースは、その使用時に複合機能移動通信装置の二つの半部を開くことによって使用される。二つの半部は蝶番で相互に結合されており、二つの半部の内面側に大型の液晶ディスプレイ、全数字及び文字を有する文字数字キーパッド及び機能キーが設けられている。複合機能移動通信装置を折り畳んだ状態から開くと、二つの半部の内面側に設けられた大型の液晶ディスプレイ、全数字及び文字を有する文字数字キーパッド及び機能キーを使用者が目視できるようになり、その使用が可能になる。
【００２７】
第２ユーザインタフェースは、その実現が複合機能移動通信装置の二つの半部の内面側を利用して可能である。すなわち、複合機能移動通信装置を開いた二つの内側面である、横断面の２倍のサイズのスペースを利用できることから、この第２ユーザインタフェースも第１インタフェース部と同様に使用者が容易に使用出来るように十分な大きさに形成できる。
【００２８】
以上の説明から明らかなように、上記の複合機能移動通信装置によれば、第１ユーザインタフェース（電話ユーザインタフェース）は、外側面の全面を利用して配置できるため、十分に大きく配置できることから、その使用を容易に出来る。また、第２ユーザインタフェースは、二つの半部の内面側に大型の液晶ディスプレイ、全数字及び文字を有する文字数字キーパッド及び機能キーが設けられているため、使用者が容易に使用出来るように十分な大きさに形成できるようになる。
【００２９】
この結果、使用者間での情報伝送の自由度が向上する。さらに、使用方法が容易に出来るようになり、そのセルラー移動無線通信ネットワークにおける最適な移動端末装置として使用できるとともに、電子ノートブックなどのデータ処理かつ使用者間で、音声情報及び多目的のグラフィック情報の両方が伝送できるようになる。
【００３０】
次に、本発明による複合機能移動通信装置の更なる好ましい実施形態を図面を参照して詳細に説明する。以下の図において、対応する部分には同一の参照符号を付した。  図１は本発明の複合機能移動通信装置の実施形態の構成を示す上面図である。図１において、この例は複合機能移動通信装置に対応し、折り畳まれた移動局４の一方側の上面を図示しており、ここに第１ユーザインタフェースが配置されている。
【００３１】
この第１ユーザインタフェースは、前記従来技術による今日の移動電話機のユーザインタフェースに極めて類似しているものである。このような移動電話機の例として、ノキア移動電話会社（Nokia Mobile Phones Ltd.) が製造しているＧＳＭ電話モデル２１１０を挙げることが出来る。この第１ユーザインタフェースはマイクロホン５、スピーカ６、数字キーパッド７、制御キー８及び比較的小さな文字数字を画面表示するディスプレイ９を備えている。
【００３２】
これらは従来技術の移動電話機と同様の素子で構成されるものであり、周知の移動電話機と同様にセルラー移動無線通信ネットワークを通じて、他の移動局と通話するために使用される。これにより、例えば、移動局のメモリーの中の電話番号と名前を見つける（読み出す）などの、コールセットアップの補助的な機能を実現することも可能である。
【００３３】
本実施形態の第１ユーザインタフェースは、図１に示されている実施形態以外の他の機能構成を設けることも可能であるが、それらは、この第１ユーザインタフェースの目的や用途を実質的に変更するものではない。
【００３４】
第２ユーザインタフェースを露出させるために、移動局４は折り畳まれた状態から使用者によって開かれる。
【００３５】
図２は移動局４を折り畳んだ状態から開いた状態を示す正面図である。図２において、二つの第１及び第２半部１０，１１が長手方向に沿って蝶番で結合されている。この二つの第１及び第２半部１０，１１は回転して９０度以上、好ましくは１３５度までの角度で開くことが出来るようにする。この開いた角度は、移動局４を折り畳んだ状態から開いた状態での使用し易い位置で決定する。
【００３６】
すなわち、第２ユーザインタフェースのキーパッド部分に対する手動操作を簡単に出来るような開いた角度に決定する。すなわち、移動局４が、例えば、膝やテーブル上などの使用位置にある際にディスプレイ部分が使用者の目の方向に対して相対するように開いた角度に位置するように決定（設計）する必要がある。
【００３７】
この場合、移動局４が折り畳んだ状態から開いた際に、開いた角度が変化してしまうような影響を及ぼす形状のテーブルでも、平らな面上と同様な角度の位置に移動局４を配置できると便利である。移動局４は図２に示すように二つの第１及び第２半部１０，１１は相互に１８０度をなすように回転することが出来る。これにより全体が板状に開かれる。
【００３８】
図２において、第１半部１０は、その使用者が目視する側に液晶ディスプレイ（ＬＣＤ）１２を備えており、この液晶ディスプレイ１２は第１半部１０の略全領域を占めている。液晶ディスプレイ１２の外側の縁領域にスクロールキー１３ａ，１３ｂとコマンドキー１４ａ，１４ｂ，１４ｃ，１４ｄが設けられている。
【００３９】
この実施形態では第２半部１１にキーグループのみが設けられている。この最大のキーグループは、完全な文字数キーパッド、例えば、数字「１〜０」及び文字「Ａ〜Ｚ）のキーを有するＱＷＥＲＴＹキーボード１５であり、このＱＷＥＲＴＹキーボード１５では文字数字キーがコンピュータ及びタイプライタのキーボードと同様な標準的な順序で配置されている。このため、使用者が新しいキーの順序を学ばなくて良いため、操作が容易になる利点がある。さらに、第２半部１１は、アプリケーションプログラム名が記載されたるアプリケーションキー１６と、４個の矢印キー１７とを有している。
【００４０】
図２に示されている大型の液晶ディスプレイ１２は、例えば、６４０×２００画素又はピクセルの解像度を有する。このような液晶ディスプレイ１２の製造技術は周知である。液晶ディスプレイ１２には接触感知フィルム又はこれに相当する周知の装置を設けることができ、この液晶ディスプレイ１２上の面の所定位置を人の指で押圧することによって、液晶ディスプレイ１２をデータ入力装置として使用することが出来る。図２に示されている全てのスクロールキー１３ａ，１３ｂ，コマンドキー１４ａ〜１４ｄ，ＱＷＥＲＴＹキーボード１５、アプリケーションキー１６及び矢印キー１７は、今日の移動電話機及び／又はパームトップコンピュータやハンドヘルドコンピュータに使われているキーと同様の種類のプッシュボタンである。
【００４１】
次に、各種のキーグループの使用目的及び使方法について説明する。
【００４２】
スクロールキー１３ａ，１３ｂは液晶ディスプレイ１２中の選択バーを移動させるためのものである。すなわち、使用中に液晶ディスプレイ１２が複数の選択リストを画面表示し、その中の１個又は数個を一度に選択する際に、スクロールキー１３ａ，１３ｂを押下すると、この選択マーク（１個又は数個）が前後に移動する。
【００４３】
コマンドキー１４ａ〜１４ｄは、いわゆるプログラムに対するキー（ソフトキー）であり、それぞれは液晶ディスプレイ１２のそれぞれのコマンドキー１４ａ〜１４ｄの場所に画面表示されているコマンドを選択することが出来る。このコマンドは移動局４の作動状態と、移動局４の各部を制御するプログラムとに応じて変化する。例えば、「削除」や「閉じる」などの頻繁に使用されるコマンドは、コマンドキー１４ａ〜１４ｄと関連しているのが好ましい。
【００４４】
ＱＷＥＲＴＹキーボード１５は文字や数字を移動局４に入力する際に使用される。同一のキーパッドを使用して多種の言語、例えば、この言語が特殊な文字を要していても、メッセージを入力することが出来る。例えば、「ａ−ａ'−ａ"」などの文字をある特定のキーに割り当て、使用者がそれぞれの文字数字キーを押下し、次にある特殊なキー、いわゆる「文字（character)キー」を１回以上、押下すると各文字が液晶ディスプレイ１２に画面表示されるようにして、特殊な文字を作成できる。
【００４５】
このような操作に代えて、使用者がそれぞれのキーを順に数回、押下するか又は、そのキーを連続的に押下することによって、その文字数字キーに割り当てられた各文字「ａ−ａ'−ａ"」が順次、画面表示されるようにしても良い。また、これに相当する他の方法を使用して、いくつかの文字を同じ文字数字キーに割り当てることも出来る。ＱＷＥＲＴＹキーボード１５には、どの特殊文字が各キーに割り当てられているのかを示す画面表示を行うキーが設けられている。
【００４６】
アプリケーションキー１６は、アプリケーションプログラムの選択に関連するものであり、例えば、使用者が、あるアプリケーションキーを押下すると、文字数字メッセージの伝送を開始できる状態となる。使用者が別のアプリケーションキーを押下すると移動局４の記憶手段（図示せず）に記憶されている電話番号を更新できる状態になどに変化する。
【００４７】
例えば、「メモリの中に最も早く記憶された１０個のメッセージを削除する」などのショートカット機能又はマクロプログラムを、あるアプリケーションキー１６に割り当てることも出来る。一つのアプリケーションキーを押下すれば他の多数のアプリケーションプログラムを読み出して開くことが出来るいわゆる特殊機能キーとしても良い。
【００４８】
したがって、アプリケーションキー１６の数は、移動局４において使用可能なアプリケーション数を限定するものではない。各アプリケーションの実行は、そのアプリケーションプログラムが動作している最中に中断された箇所から連続的に行われる。矢印キー１７により、使用者は液晶ディスプレイ１２の中で位置変化するカーソルの移動を制御したり、又は、例えば、簡単な線の図を描くなどのグラフィック機能に関連する他の情報を移動局４に取り込んだりすることが出来る。
【００４９】
図３は、液晶ディスプレイ１２を複数の機能領域に分割した状態の正面図である。図３において、液晶ディスプレイ１２の中央に入出力領域１８が形成され、この入出力領域１８は文字数字情報及び、その他のグラフィック情報を使用者に伝えるためのものであり、例えば、使用者が書いた文字数字メッセージを他の使用者に伝送する際に、そのテキストが表示される。これに対応して、移動局４はグラフィック情報を含むメッセージを受け取って使用者がそのメッセージを読みたいと希望する際に、このメッセージの内容を入出力領域１８に表示する。
【００５０】
液晶ディスプレイ１２の右端には、コマンド領域１９が形成されており、コマンド領域１９には、液晶ディスプレイ１２の縁の外側に配置され、図２中で示したコマンドキー１４ａ〜１４ｄに対応するコマンドを表示する。この表示によって使用者が各コマンドキー１４ａ〜１４ｄを押下すれば、どのコマンドが実行されるのかが判明する。液晶ディスプレイ１２の左側の境界領域２０には、スクロールキー１３ａ，１３ｂを使用してスクロールが出来る選択可能な動作のリストを有している。
【００５１】
例えば、境界領域２０には電源として機能する電池（図示せず）の充電状態や、移動局４が測定したセルラー移動無線通信ネットワークにおける受信地点の電界強度などの、移動局４に関する情報を簡単な記号で使用者に通知するインジケータ領域として使用することも出来る。
【００５２】
液晶ディスプレイ１２は、時間と日付、受け取ったメッセージの残りの部分、場合によっては、ある料金エリア内での移動局４の位置を表示することも出来る。この液晶ディスプレイ１２の機能領域への分割は、例として提示したものであり、液晶ディスプレイ１２を他の多くの方法で分割し得ることは周知である。
【００５３】
次に移動局４の使用方法を簡単に説明する。
【００５４】
セルラー移動無線通信ネットワークによる公衆移動電話サービスを利用する際の図１に示した第１ユーザインタフェースによる移動局４の使用方法は現在知られている移動電話機での使用法と同様である。したがって、以下の説明では図１の第２ユーザインタフェースの使用に対する操作を主として説明する。説明は例示を目的としており、その細部は本発明を限定するものではない。
【００５５】
ここで使用者が移動局４によってテキストメッセージを他の使用者に伝送する場合とする。使用者は始めに移動局４を折り畳んだ状態、すなわち、電話通話の状態から図２の開いた状態に操作する。使用者は、あるアプリケーションキー１６を押下することにより「メッセージ送信」機能の使用を開始する。これによって「受信者（Receiver) 」、「メッセージ（Message)」、「送信（Transmit) 」との項目を含むコマンドのリストが、液晶ディスプレイ１２の右側のコマンド領域１９に表示される。
【００５６】
使用者は「受信者（Receiver) 」コマンドのコマンドキー１４ａ〜１４ｄを押下する。これによって使用者が移動局４の記憶手段に記憶されている受信者の名前と接続番号のリストをスクロールできるようになる。使用者は矢印キー１７で受信者を選択し、次に「メッセージ（Message)」コマンド用のコマンドキー１４ａ〜１４ｄを押下する。これによって使用者がＱＷＥＲＴＹキーボード１５を使用して所望の文字数字メッセージを液晶ディスプレイ１２に入力できるようになる。
【００５７】
液晶ディスプレイ１２に接触感知フィルムを設けている場合は、鋭い先端を有した描画ツールを用いて、使用者がメッセージに付随する図形を液晶ディスプレイの表面に描くことも出来る。同時にメッセージが移動局４内の記憶手段に記憶され、その後の送信段階で、このメッセージが読み出される。使用者はメッセージが完成したと考えると、送信コマンド用のコマンドキー又はメッセージ送信機能のあるアプリケーションキー１６を押下する。
【００５８】
移動局４の動作を制御するマイクロプロセッサ（図示せず）は、使用者が書いた又は描いたメッセージを記憶手段から読み出し、このメッセージをセルラー移動無線通信ネットワークへ送信可能な形式に変換する。この種の変換処理は、例えば、今日の携帯テレファックス装置での変換技術として周知である。完成したメッセージは無線高周波送信部（図示せず）からセルラー移動無線通信ネットワークへ送信される。このセルラー移動無線通信ネットワークから受信者の端末装置に伝送される。
【００５９】
セルラー移動無線通信ネットワークのセル基地局（図示せず）は、受信した旨の応答メッセージを移動局４に送信することによって、そのメッセージが送信されたことを通知する。受信者の端末装置もメッセージを確実に受信した旨の情報を自動的に返送することが出来る。移動局４は、自動的又は使用者が、あるアプリケーションキー１６を操作して行った問い合わせに対する応答として、そのことを使用者に知らせることが出来る。
【００６０】
使用者が操作を誤ったり、何らかの理由から移動局４が認識できない操作を行った場合、また、必要な指定事項に対する誤操作を行うと、液晶ディスプレイ１２に、例えば、「風船」を表示して知らせる。さらに、その誤操作に対応した正常な操作を使用者へ知らせる表示を行う。典型的な例は、同一の受信者に数個の電話番号が記憶されている場合である。この場合、使用者はメッセージを第一番目に伝送したい電話番号を指定することになる。
【００６１】
図１及び図３に別個に示されている二つの第１及び第２ユーザインタフェースは、それらを相互に無関係に使用できるという意味で独立しているが、この二つの第１及び第２ユーザインタフェースは、移動局４の動作に関連する記憶手段などの同一部品を共用して使用する。例えば、使用者が頻繁に使う受信者と電話番号とを含むデータベースを記憶する。
【００６２】
このようにして、異なる処理に対応し、独立して使用される二つの第１及び第２ユーザインタフェースによって、異なるように更新されたデータで引き起こす混乱が発生しなくなる。本発明は、これらの二つの第１及び第２ユーザインタフェースの同時使用を制限するものではない。例えば、通話中に、使用者は第２ユーザインタフェースのキーパッドと液晶ディスプレイとを電子ノートブックとして使用し、電話通話中に得た重要な情報を記憶させることが可能である。又は、カレンダーとして使用して、電話通話中に自己のスケジュールに関するデータの確認も可能である。
【００６３】
現在の移動電話機に使用している全補助的機能を、移動局４にも装備するこが出来る。例えば、セルラー移動無線通信ネットワークの無線媒体を通してデジタルモデム接続をするためにデータアダプタを通じて携帯コンピュータを接続するコネクタ（図示せず）を移動局４にも設けることが出来る。移動局４にファックスモデムを内蔵することも可能であり、これによってテレファックスの送受信が可能になる。この場合、液晶ディスプレイ１２が大型であるため、容易にテレファックスデータの読み書きが出来るようになる。
【００６４】
さらに、移動局４の第２ユーザインタフェースは、液晶ディスプレイ１２とＱＷＥＲＴＹキーボード１５とを備えているため、適当なデータ通信経路を通じて移動局４を小型コンピュータ端末装置として使用できる。その場合、この小型コンピュータ端末装置は、他のコンピュータに接続された際に周知の、例えば、ＶＴ１００端末装置に匹敵するデータ処理を行う。
【００６５】
また、移動局４には、例えば、パーソナルコンピュータＰＣ又はプリンタなどの他の装置との間の通信接続（通信リンク）を行う最適な方法は、赤外線リンクを使用することである。この場合、移動局４と他の装置とに双方向赤外線送受信手段を備える必要がある。移動局４とパーソナルコンピュータＰＣとの間に赤外線リンクに基づく通信経路の構成は周知技術である。例えば、移動局４の記憶手段に記憶されているプログラムを赤外線リンクを通じて更新することが出来る。
【００６６】
移動局４における記憶手段及びマイクロプロセッサが十分な処理能力を有しているならば、小型携帯コンピュータとして利用できるアプリケーションプログラムを組み込んで置くことも可能である。このような補助的なアプリケーション例としてポケット計算プログラムを挙げることが出来る。このポケット計算プログラムは、液晶ディスプレイ１２が大型であるので、例えば、ヒューレットパッカド社が製造販売している周知の科学計算機と同様な複雑なグラフィック情報を含む数学的情報の処理も可能になる。
【００６７】
補助的アプリケーションの他の例として電子辞書プログラムを挙げることが出来るが、これは移動局４の記憶手段に記憶されているデータベースから、ＱＷＥＲＴＹキーボード１５から入力された単語に相当する外国語の単語を見つけ出すことが出来る。また、移動局４が受信者の電話番号の国別コードが、英語の使用国を表していることを見つけ出した際には、移動局４が自動的に又は使用者の操作による要求に応じて簡単なメッセージを英語に翻訳することも可能である。このような補助的機能は周知のプログラム処理であり、このプログラムは移動局４の動作を制御するマイクロプロセッサが実行できるフォーマット形式で記憶手段に記憶されるものである。
【００６８】
移動局４が折り畳まれた状態から開かれてテーブルなどの平面上に置かれて第２ユーザインタフェースが使用されている場合、この移動局４の安定性は使用者が体験する使い易さに重要な役割を果たす。移動局４の第２半部１１、すなわち、移動局４が開かれている際に目視できる大きな文字数字キーボードを備えた第２半部１１は開いている際の移動局４がバランスの取れた状態を維持するのに充分な重さを有することが好ましい。
【００６９】
この第２半部１１に最も重い構成体の大半を配置することによって適当な重量配分が得られる。例えば、機能としては第１ユーザインタフェースに属するマイクロホン、スピーカ及び無線送受信部とともに、第２ユーザインタフェースの動作を処理する電子部品の殆どを第２半部１１に配置することが出来る。
【００７０】
この場合、マイクロホンとスピーカとが、移動局４の外面に位置する第１ユーザインタフェース（電話インタフェース）用の部品であるという点を考慮する場合は、マイクロホンに音を伝え、かつ、スピーカから音声を出力するために作用する適当な開口部を外面に設けると、マイクロホン及びスピーカが移動局４の内部に配置されていても正常に動作することになる。
【００７１】
図４は第２半部１１にマイクロホン及びスピーカを設けた例を示す斜視図である。図４に示すように、開口部に設けられたマイクロホン５、スピーカ６は、移動局４が折り畳まれた場合、第１ユーザインタフェース（電話インタフェース）の残りの数字キーパッド７、制御キー８とは別の反対側にあっても良い。
【００７２】
本実施形態の移動局４は、比較的大きな第１及び第２ユーザインタフェースを必要とする補助機能を、移動局４である小型の移動電話機に設けることが出来る。また、移動局４は折り畳み可能であり、比較的大きな第２ユーザインタフェースは、二つの第１及び第２半部１０，１１の内側面に配置されており、図１から図４を参照して説明した実施形態では移動局４は、この二つ折りの状態から開くようになっている。
【００７３】
図５は移動局４を３つの部分で構成し、その折り畳み状態における外観構成を示す斜視図である。図５（ａ）は移動局４を折り畳んだ状態であり、図５（ｂ）は移動局４を折り畳んだ状態から開いた状態である。なお、３つ以上の多くの部分として開くように構成することも出来る。
【００７４】
図５（ａ）に示されている実施形態では、移動局４の大きな液晶ディスプレイ１２が、二つのセクションに区分けして構成されており、折り畳まれた状態の横断面の約２倍に相当する表示領域が形成される。さらに、より完全なＱＷＥＲＴＹキーボード１５を配置するための余地が得られる。この移動局４を開いたセクションの面上に液晶ディスプレイセクション及びキーパッドセクションを分割して配置する設計は周知技術である。
【００７５】
また、第１ユーザインタフェースは液晶ディスプレイを設けないで構成することも周知である。すなわち、製造コストを最小限にすることを目標にした場合は、第１ユーザインタフェースにはマイクロホン、スピーカ及び数字キーパッドのみが設けられる。
【００７６】
第１ユーザインタフェースは、呼出専用装置のページャーであっても良い。この場合、マイクロホンやスピーカを内蔵せずに、小型の液晶ディスプレイのみを備えることになる。この場合は、当然に電話通話は出来ない。
【００７７】
この移動局４では音声、テレファックス及びグラフィックの情報を使用者間で伝送することが出来る。移動局４は、そのサイズ及び外観が慣用的な移動電話機と類似しているが、この移動局４は極めて多目的に使用できるものである。この移動局４は、慣用的な移動電話機と同様の第１ユーザインタフェース（電話インタフェース）を有しており、この第１ユーザインタフェースに属する部品が十分に大きなサイズのものであるため、使い易いものとなっている。また、第２ユーザインタフェースにおける文字数字キーパッドのよく知られているＱＷＥＲＴＹ配列も使い易さを象徴するものである。
【符号の説明】
【００７８】
４  移動局
５  マイクロホン
６  スピーカ
７  数字キーパッド
８  制御キー
９  ディスプレイ
１０  第１半部
１１  第２半部
１２  液晶ディスプレイ
１３ａ，１３ｂ  スクロールキー
１４ａ〜１４ｄ  コマンドキー
１５  ＱＷＥＲＴＹキーボード
１６  アプリケーションキー
１７  矢印キー
１８  入出力領域
１９  コマンド領域
２０  境界領域
【図１】
2010183616.tif 000003
【図２】
2010183616.tif 000004
【図３】
2010183616.tif 000005
【図４】
2010183616.tif 000006
【図５】
2010183616.tif 000007
【図６】
2010183616.tif 000008